(57)【要約】【課題】  同一電圧を使用する各機器の電気回路への配線の接続作業を容易にする直流安定化電源を提供する。【解決手段】  筐体１１に交流直流変換部１２を収納し、交流直流変換部１２の二次側の正負端子に夫々接続された正負導線を複数系統に分岐し、これら正負導線の間に第１、第２コンセント２３，２４を直列に接続し、筺体１１に第１および第２コンセント２３，２４を系統毎に固定し、第１コンセント２３にヒューズ３２が接続された第１差込プラグ３５を着脱自在に装着し、第２コンセント２４に電気回路の導電線３４が接続された第２差込プラグ３６を着脱自在に装着するようにした。これにより、電気回路への配線を容易にかつ短時間に行うことができる。【選択図】  図１
2006121849.tif 000002
【特許請求の範囲】
【請求項１】
交流電流を直流電流に変換して電気回路に供給する直流安定化電源において、一次側端子に入力された交流電流を直流電流に変換して二次側の正負端子に出力する交流直流変換部を備え、該交流直流変換部の二次側の正負端子間に第１および第２接続器を直列に接続し、前記第１接続器には、過剰な直流電流を遮断する直流電流遮断手段を着脱可能に装着し、前記第２接続器には、前記電気回路の正負端子を着脱可能に接続することを特徴とする直流安定化電源。
【請求項２】
請求項１において、前記第１および第２接続器がコンセントであり、各コンセントに着脱される差込プラグに前記直流電流遮断手段および前記電気回路がそれぞれ接続されていることを特徴とする直流安定化電源。
【請求項３】
請求項１または２において、前記直流電流遮断手段が過剰な直流電流を遮断したことを報知する報知手段を備えたことを特徴とする直流安定化電源。
【発明の詳細な説明】
【技術分野】
【０００１】
本発明は、交流電流を直流電流に変換して電気回路に供給する直流安定化電源に関する。
【背景技術】
【０００２】
一般に複数の機器の電気回路に電源から同一電圧の電力を供給する場合、配電盤が用いられる。この種の配電盤としては、工場用、家庭用に限らず、特許文献１に記載されるように、電源に接続された母線が第１ブレーカ（過負荷保護機能装置）を介して複数の支線に分岐され、各支線に接続された第２ブレーカを介し各機器に接続されるように設計されている。これにより、個々の機器に過負荷等による過電流が生じた場合には第２ブレーカが遮断され、複数の機器の総電流が所定値を越えた場合には第１ブレーカが遮断されて母線、支線および各機器の電気回路が保護される。
【０００３】
ところで、工作機械に設置される配電盤においても特許文献１に記載されるように配線される。工作機械に用いられる配電盤では、図３に示すように工場用交流電源に母線を介して過負荷保護機能を備えた直流安定化電源１が接続され、この直流安定化電源１から端子台２によって複数の支線に分配され、サーキットプロテクタ３を介して各機器の電気回路に接続されるか、又はサーキットプロテクタ３からの出力支線を再度端子台２に接続して分岐させ電気回路に接続されている。
【特許文献１】特開平１１−５５８１７号公報（第３，４頁、図４）
【発明の開示】
【発明が解決しようとする課題】
【０００４】
各機器の電気回路に同一電圧の電力を供給する場合、直流安定化電源から端子台およびサーキットプロテクタを用いて複数の機器に配線を取り回さなければならず、直流安定化電源回りの配線作業に労力を要することになっていた。特に工作機械では、同機種であっても細かい仕様が異なることが多く、各機械によって配線が異なることから、直流安定化電源、端子台、およびサーキットプロテクタの配線をパターン化することが困難であった。このため、汎用の端子台を用い、各機械の仕様に合わせて作業者が設計図を参照しながら配線コードを１本ずつ直流安定化電源から端子台およびサーキットプロテクタに接続しなければならなかった。
【０００５】
また、各電気回路の過電流を保護するサーキットプロテクタは、最短でも１０ｍＳｅｃ以下での遮断は不可能で、安定化電源の過負荷保護機能の遮断時間より感度が悪い。このため、サーキットプロテクタが過電流を感知したときには、直流安定化電源の過負荷保護機能が作動してしまい、正常に作動している電気回路を含め全ての電気回路への電流供給が停止されてしまう。
【０００６】
本発明は、上記した従来の不具合を解消するためになされたもので、電気回路への配線の接続作業を容易にする直流安定化電源を提供することを目的とする。
【課題を解決するための手段】
【０００７】
上記の課題を解決するため、請求項１に記載の発明の構成上の特徴は、交流電流を直流電流に変換して電気回路に供給する直流安定化電源において、一次側端子に入力された交流電流を直流電流に変換して二次側の正負端子に出力する交流直流変換部を備え、交流直流変換部の二次側の正負端子間に第１および第２接続器を直列に接続し、第１接続器には、過剰な直流電流を遮断する直流電流遮断手段を着脱可能に装着し、第２接続器には、前記電気回路の正負端子を着脱可能に接続することである。
【０００８】
請求項２に係る発明の構成上の特徴は、請求項１において、第１および第２接続器がコンセントであり、各コンセントに着脱される差込プラグに直流電流遮断手段および電気回路がそれぞれ接続されていることである。
【０００９】
請求項３に係る発明の構成上の特徴は、請求項１または２において、直流電流遮断手段が過剰な直流電流を遮断したことを報知する報知手段を備えたことである。
【発明の効果】
【００１０】
上記のように構成した請求項１に係る発明においては、交流直流変換部の正負端子との間で配線の完了した第１接続器および第２接続器を設け、第１接続器の各端子間に直流電流遮断手段を接続し、第２接続器の各端子間に電気回路の正負端子を接続するようにしたことにより、交流直流変換部から直流電流遮断手段および電気回路への接続作業を短時間で完了することができる。
【００１１】
上記のように構成した請求項２に係る発明においては、交流直流変換部の正負端子との間で配線の完了した第１および第２コンセントを設け、直流電流遮断手段が接続された第１差込プラグが第１コンセントに挿入され、電気回路が接続された第２差込プラグが第２コンセントに挿入されることにより、直流電流遮断手段の両端子および電気回路の正負端子が同時一体的に交流直流変換部と接続される。これにより交流直流変換部から直流電流遮断手段および電気回路への接続作業を短時間で、且つ容易に完了することができる。
【００１２】
上記のように構成した請求項３に係る発明においては、報知手段からの報知によって直流電流遮断手段による過剰な直流電流の遮断を作業者に通知することができる。
【発明を実施するための最良の形態】
【００１３】
以下、本発明の実施の形態に係る直流安定化電源について図１、図２に基づいて説明する。図１は分岐保護回路付直流安定化電源１０の一例を示す外観図で、直流安定化電源１０は、筐体１１内に交流直流変換部１２、コンセント２３、２４および発光回路（報知手段）１５を収納している。筐体１１は、筒状の筐体本体１１ａの両開口が蓋部材１１ｂによって閉止されている。筐体１１ａの内部には交流直流変換部１２が収納されている。交流直流変換部１２は、図２の電気配線図に示すように、一次側端子１２ａから入力された交流電流を直流電流に変換して二次側正負端子１６，１７に出力する。なお、交流直流変換部１２には、二次側正負端子１６，１７間に許容電流以上の過電流が所定時間連続して供給されるとき、二次側正負端子１６，１７への電流の供給を停止する過負荷保護機能が付加されている。一次側端子１２ａは、交流電源（例えばＡＣ２００ｖ）に配電線１８を介して接続され、二次側正負端子１６，１７には、正負導線１９，２０に接続されている。正負導線１９，２０は、それぞれ複数系統に分岐されている。
【００１４】
筐体１１の一方の蓋部材１１ｂには、方形状の開口穴２１が穿設され、この開口２１にコンセント群２２が固定されている。このコンセント群２２は、第１接続器をなす複数の第１コンセント２３、および第２接続器をなす複数の第２コンセント２４から構成されている。第１、第２コンセント２３，  ２４は、枠体２５に方形状の凹穴２６が形成され、第１コンセント２３には凹穴２６の上面に突設溝２７が突設され、第２コンセント２４の凹穴２６の上面には、へこみ部２８が形成されている。複数の第１コンセント２３には、図２に示すように一対の端子２９ａ，２９ｂが形成され、この一対の端子２９ａ，２９ｂの一方の端子２９ａに正導線１９が接続されている。複数の第２コンセント２４には一対の端子３０ａ，３０ｂが形成され、第２コンセント２４の一対の端子３０ａ，３０ｂの一方の端子３０ａが第１コンセント２３の他方の端子２９ｂに接続され、第２コンセントの一対の端子の他方の端子３０ｂが負導線２０に接続されている。
【００１５】
これにより、第１コンセント２３および第２コンセント２４は正負導線１９，２０の間で直列に接続される。第１コンセント２３の一対の端子２９ａ，２９ｂには接続端子３１ａ，３１ｂが接続され、これら接続端子３１ａ，３１ｂには、直流電流遮断手段としてのヒューズ３２の両端子が装着される。第２コンセント２４の一対の端子３０ａ、３０ｂには接続端子３３ａ，３３ｂが接続され、これら接続端子３３ａ，３３ｂには、図略の電気回路に接続された配電線３４の正負端子３４ａ，３４ｂが接続される。ヒューズ３２は、好ましくは、速断ヒューズが使用され、予め定められた規定の直流電流以上（過剰な電流）が流れたとき、瞬間的に溶断するように設定されている。このヒューズ３２は、第１コンセント２３の凹穴２６に着脱自在に嵌合する第１差込プラグ３５に装着されている。配電線３４は第２コンセント２４の凹穴２６に着脱自在に嵌合する第２差込プラグ３６に装着されている。第１差込プラグ３５は、第１コンセント２３の凹穴２６に嵌る方形状をなし、上面に突設溝２７に嵌合する突設部３７が形成されている。第２差込プラグ２６は、第２コンセント２４の凹穴２６に嵌る方形状をなし、上面にへこみ部２８に嵌合するへこみ溝３８が形成されている。これら、突設部３７とへこみ溝３８によって第１差込プラグ２６は第１コンセント２３にのみに挿入可能であり、第１コンセント２３および第２コンセント２４に同時に第１差込プラグ３６が挿入されて短絡することを防止している。
【００１６】
発光回路１５は、第１コンセント２３の一対の端子２９ａ，２９ｂ間にヒューズ３２と並列に接続され、直列接続された抵抗器４０および発光ダイオード４１から構成される。抵抗器４０は、第２コンセント２４に第２差込プラグ３６を介して接続される図略の電気回路の電気抵抗より十分大きな抵抗値を有する。発光ダイオード４１は、蓋部材１１ｂの第１コンセント２３の上部に開口する窓４２に固定され、第１コンセント２３に装着された第１差込プラグ３５のヒューズ３２が溶断したとき点灯する。
【００１７】
以上のような構成で、作業者は、電気回路の配線図面に基づいて第１コンセント２３に第１差込プラグ３５を挿入し、第１コンセント２３の端子２９ａ，２９ｂにヒューズ３２を接続する。第２コンセント２４に第２差込プラグ３６を挿入し、第２コンセント２４の端子３０ａ，３０ｂに電気回路の配電線３４を接続する。
【００１８】
これら、第１、第２差込プラグ３５，３６が装着されると、交流直流変換部１２の正導線１９は、ヒューズ３２を介して電気回路の導電線３４に接続され、負導線２０は、電気回路の導電線３４に接続され、電気回路に電流が供給される。このとき、第１コンセント２４の端子２９ａ，２９ｂ間にヒューズ３２と並列に接続された発光回路１５には、抵抗器４０の作用により発光ダイオード４１に電流は供給されず、発光しない。
【００１９】
この状態で、電気回路に何らかの異常が発生し、導線線３４に過剰な直流電流が流れると、第１コンセント２３の端子２９ａ，２９ｂ間に接続されたヒューズ３２が瞬時に溶断して電気回路への電流の供給を停止する。このとき、ヒューズ３２が溶断することにより、第１コンセント２３の端子２９ａ，２９ｂ間では発光回路１５のみが接続された状態となるため、抵抗器４０を介して発光ダイオード４１には微弱な電流が流れて発光する。
【００２０】
これによって作業者は、第１コンセント２３に接続された第１差込プラグ３５のヒューズ３２が溶断されたことに気づき、しかるべき処置を電気回路に施したのち、溶断したヒューズ３２が固定された第１差込プラグ３５を第１コンセント２３から取外し、新しい第１差込プラグ３５を第１コンセント２３に挿入する。
【００２１】
以上説明したように、上記のように構成することにより、交流直流変換部１２からヒューズ３２および電気回路への接続作業を短時間で完了することができる。さらに、交流直流変換部１２の過負荷保護機能の動作よりも速く、ヒューズ３２は瞬間的に溶断されるため、過電流の流れた電気回路への電流の供給のみを停止することができる。また、発光ダイオード４１の点灯によってヒューズ３２の断線を作業者に通知することができる。
【００２２】
なお、上記の実施の形態では、発光回路１５を筐体１１に収納するようにしたが、ヒューズ３２の端子３１ａ，３１ｂに接続し、第１差込プラグ３５の内部に収納するようにしてもよい。また、発光ダイオード４１に限られることなく例えば、電球等を発光体として用いることもできる。
【図面の簡単な説明】
【００２３】
【図１】本実施の実施の形態に係る直流安定化電源の外観図である。
【図２】分岐保護回路付直流安定化電源の電気回路図である。
【図３】従来の電気配線の状態を示す図である。
【符号の説明】
【００２４】
１１…筐体、１２…交流直流変換部、１５…発光回路、１６，１７…正負端子、１９，２０…正負導線、２３…第１コンセント、２４…第２コンセント、３２…ヒューズ、３５…第１差込プラグ、３６…第２差込プラグ、４０…抵抗器、４１…発光ダイオード。
【図１】
2006121849.tif 000003
【図２】
2006121849.tif 000004
【図３】
2006121849.tif 000005